(57)【特許請求の範囲】
【請求項１】
収容する通信端末を増設する拡張部と、前記拡張部に収容された前記通信端末とネットワーク網との間でデータ伝送する伝送部と、前記拡張部と前記伝送部とを通信可能に接続する接続部とを有する伝送装置であって、
前記伝送部は、
前記通信端末を制御監視し前記データ伝送を制御する制御部を備え、
前記拡張部は、
前記通信端末を前記ネットワーク網と同期させるためのクロック信号を供給する外部装置と接続され、接続された前記外部装置から前記クロック信号を受信する外部クロック受信部を備え、
前記接続部は、
前記拡張部と前記伝送部とを接続する複数の信号線を備え、
前記接続部は、前記複数の信号線のうち前記データ伝送に使用されていない信号線を介して、前記外部クロック受信部によって受信された前記クロック信号を前記伝送部へ転送し、
前記制御部は、転送された前記クロック信号に基づいて、前記通信端末を前記ネットワーク網と同期させて前記データ伝送させる
ことを特徴とする伝送装置。
【請求項２】
請求項１に記載の伝送装置において、
前記接続部は、
前記拡張部と前記伝送部との間で同期が確立しているか否かを判定する同期判定部と、
前記同期判定部により同期が確立していないと判定された場合、前記クロック信号の転送を停止する転送停止部と、をさらに備える
ことを特徴とする伝送装置。
【請求項３】
請求項２に記載の伝送装置において、
前記接続部は、
前記拡張部と前記伝送部との同期を確立させて設定する同期設定部をさらに備え、
前記同期設定部は、前記同期判定部により同期が確立していないと判定された場合、前記拡張部と前記伝送部との同期を確立し、
前記接続部は、前記クロック信号の転送を再開する
ことを特徴とする伝送装置。
【請求項４】
請求項３に記載の伝送装置において、
前記同期判定部と前記同期設定部とは、前記データ伝送に使用されていない信号線で接続され、
前記接続部は、前記同期判定部と前記同期設定部とを接続する信号線を介して、前記同期判定部による判定結果を前記同期設定部に通知するとともに、前記クロック信号を前記伝送部へ転送する
ことを特徴とする伝送装置。
【請求項５】
収容する通信端末を増設する拡張部と、前記拡張部に収容された前記通信端末とネットワーク網との間でデータ伝送する伝送部と、前記拡張部と前記伝送部とを通信可能に接続する接続部とを有する伝送装置の伝送方法であって、
前記拡張部は、前記通信端末を前記ネットワーク網と同期させるためのクロック信号を供給する外部装置から前記クロック信号を受信し、
前記接続部は、前記拡張部と前記伝送部とを接続する複数の信号線のうちデータ伝送に使用されていない信号線を介して、前記クロック信号を前記伝送部へ転送し、
前記伝送部は、転送された前記クロック信号に基づいて、前記通信端末を前記ネットワーク網と同期させて前記データ伝送させる
ことを特徴とする伝送方法。
【発明の詳細な説明】
【技術分野】
【０００１】
本発明は、外部のクロック信号に基づいてデータ伝送することができる伝送装置および伝送方法に関する。
【背景技術】
【０００２】
従来、伝送装置は、収容する通信端末とインターネットプロトコル（ＩＰ）ネットワーク網との間でデータ伝送を行うために、伝送装置内部で生成されたクロック信号、外部から入力されるクロック信号、データ伝送の信号から抽出されるクロック信号などのうち、通信端末に応じたクロック信号を選択し、通信端末をＩＰネットワーク網に網同期させる必要がある（例えば、特許文献１参照）。
【先行技術文献】
【特許文献】
【０００３】
【特許文献１】特開２０００−９２０１６号公報
【発明の概要】
【発明が解決しようとする課題】
【０００４】
しかしながら、従来技術では、網同期用に用いられる様々なクロック信号は、クロック盤に一旦集められ各通信端末へ分配されるため、伝送装置と通信端末とを接続するインタフェースは、クロック盤周辺に配置される必要がある。しかしながら、クロック盤周辺に配置できるインタフェースの数には限りがあり、例えば、データ伝送の回線拡大に伴って、新たに外部から網同期用のクロック信号を取得する必要が生じた時には、インタフェースの空きが無いという事態が生じる。
【０００５】
上記従来技術が有する問題に鑑み、本発明の目的は、伝送装置全体の構成を変えることなく、新たに外部から網同期用のクロック信号を容易に取得することができる技術を提供することにある。
【課題を解決するための手段】
【０００６】
本発明を例示する伝送装置の一態様は、収容する通信端末を増設する拡張部と、拡張部に収容された通信端末とネットワーク網との間でデータ伝送する伝送部と、拡張部と伝送部とを通信可能に接続する接続部とを有する伝送装置であって、伝送部は、通信端末を制御監視しデータ伝送を制御する制御部を備え、拡張部は、通信端末をネットワーク網と同期させるためのクロック信号を供給する外部装置と接続され、接続された外部装置からクロック信号を受信する外部クロック受信部を備え、接続部は、拡張部と伝送部とを接続する複数の信号線を備え、接続部は、複数の信号線のうちデータ伝送に使用されていない信号線を介して、外部クロック受信部によって受信されたクロック信号を伝送部へ転送し、制御部は、転送されたクロック信号に基づいて、通信端末をネットワーク網と同期させてデータ伝送させる。
【０００７】
また、接続部は、拡張部と伝送部との間で同期が確立しているか否かを判定する同期判定部と、同期判定部により同期が確立していないと判定された場合、クロック信号の転送を停止する転送停止部と、をさらに備えてもよい。
【０００８】
また、接続部は、拡張部と伝送部との同期を確立させて設定する同期設定部をさらに備え、同期設定部は、同期判定部により同期が確立していないと判定された場合、拡張部と伝送部との同期を確立し、接続部は、クロック信号の転送を再開してもよい。
【０００９】
また、同期判定部と同期設定部とは、データ伝送に使用されていない信号線で接続され、接続部は、同期判定部と同期設定部とを接続する信号線を介して、同期判定部による判定結果を同期設定部に通知するとともに、クロック信号を伝送部へ転送してもよい。
【００１０】
本発明を例示する伝送方法の一態様は、収容する通信端末を増設する拡張部と、拡張部に収容された通信端末とネットワーク網との間でデータ伝送する伝送部と、拡張部と伝送部とを通信可能に接続する接続部とを有する伝送装置の伝送方法であって、拡張部は、通信端末をネットワーク網と同期させるためのクロック信号を供給する外部装置からクロック信号を受信し、接続部は、拡張部と伝送部とを接続する複数の信号線のうちデータ伝送に使用されていない信号線を介して、クロック信号を伝送部へ転送し、伝送部は、転送されたクロック信号に基づいて、通信端末をネットワーク網と同期させてデータ伝送させる。
【発明の効果】
【００１１】
本発明によれば、伝送装置全体の構成を変えることなく、新たに外部から網同期用のクロック信号を容易に取得することができる。
【図面の簡単な説明】
【００１２】
【図１】本発明の一の実施形態に係る伝送装置１００の構成を示すブロック図
【図２】伝送装置１００における接続部１３０の構成の一例を示すブロック図
【図３】伝送装置１００によるクロック信号の転送処理を示すフローチャート
【発明を実施するための形態】
【００１３】
図１は、本発明の一の実施形態に係る伝送装置１００の構成を示すブロック図である。図１に示すように、本実施形態の伝送装置１００は、 収容された通信端末とＩＰネットワーク網との間でデータ伝送する伝送部としての基本部１１０、収容する通信端末を増設する拡張部１２０、基本部１１０と拡張部１２０とを接続する接続部１３０から構成される。なお、本実施形態の伝送装置１００は、ＳＤＨ（Synchronous Digital Hierarchy）方式に準拠した伝送装置であるとする。
【００１４】
基本部１１０は、伝送路インタフェース（ＩＦ）０系１０、伝送路ＩＦ１系１１、クロックＬＩＵ１２、制御部１３、クロック盤１４、ＬＩＵ１５−１〜１５−Ｍ、回線設定部０系１６、回線設定部１系１７、拡張間ＩＦ０系１８、拡張間ＩＦ１系１９から構成される（Ｍは自然数）。なお、図１は、本実施形態の基本部１１０の主要部分のみを示す。例えば、現用系の伝送路ＩＦ０系１０、回線設定部０系１６、拡張間ＩＦ０系１８と、予備系の伝送路ＩＦ１系１１、回線設定部１系１７、拡張間ＩＦ１系１９とを、制御部１３に基づいて切り換える切換部などは省略する。
【００１５】
伝送路ＩＦ０系１０および伝送路ＩＦ１系１１は、伝送装置１００と対向配置される伝送装置５０と光伝送路（６００Ｍ／１５０Ｍ）で接続し、光信号でデータ伝送を行うインタフェースである。伝送路ＩＦ０系１０は、光伝送路を伝送するデータを回線設定部０系１６へ出力し、伝送路ＩＦ１系１１は、回線設定部１系１７へ出力する。同時に、伝送路ＩＦ０系１０および伝送路ＩＦ１系１１は、光伝送路を伝送するデータに重畳されたクロック信号を抽出し、網同期用のクロック信号としてクロック盤１４へ出力する。
【００１６】
クロックＬＩＵ１２は、伝送装置１００の外部に配置されるクロック供給装置５５ａからクロック信号を受信する、回線インタフェースとしての機能を備えるＬＩＵ（Line Interface Unit）である。クロックＬＩＵ１２は、クロック信号を網同期用のクロック信号としてクロック盤１４へ出力する。
【００１７】
制御部１３は、不図示の記憶部に記憶されている制御プログラムに基づいて、伝送装置１００の各部を統括制御するプロセッサである。例えば、制御部１３は、収容された各通信端末４０、７０の監視制御、および対向配置された伝送装置５０とのデータ伝送を制御する。また、制御部１３は、クロック盤１４が受信した複数のクロック信号のうち、基本部１１０のＬＩＵ１５や拡張部１２０のＬＩＵ２３に収容される各通信端末４０、７０に応じたクロック信号を選択する。制御部１３は、選択したクロック信号に基づいて、各通信端末４０、７０をＩＰネットワーク網と網同期させ同期通信処理を行う。さらに、制御部１３は、制御監視や同期通信処理に関する情報を外部端末６０へ出力して管理者へ通知するとともに、その情報に基づいた管理者からの指示を受け付ける。
【００１８】
クロック盤１４は、光伝送路ＩＦ０系１０または光伝送路ＩＦ１系１１によって抽出されたクロック信号、外部のクロック供給装置５５ａからのクロック信号、不図示の１．５Ｍ伝送路や６Ｍ伝送路などから受信されるクロック信号を受信する。クロック盤１４は、制御部１３の制御に基づいて、基本部１１０のＬＩＵ１５や拡張部１２０のＬＩＵ２３に接続される各通信端末４０、７０に応じたクロック信号を、網同期用のクロック信号として各通信端末４０、７０へ出力する。なお、本実施形態のクロック盤１４は、後述するように、拡張部１２０のクロックＬＩＵ２０で受信する外部のクロック供給装置５５ｂからのクロック信号も受信できるものとする。これにより、網同期用のクロックパスを基本部１１０で受信するための余剰のインタフェースがない場合であっても、伝送装置１００の装置構成や性能を変えることなく、外部のクロック供給装置からクロック信号を受信することができる。
【００１９】
ＬＩＵ１５−１〜１５−Ｍは、一般的な回線インタフェースで、各通信端末４０−１〜４０−Ｍと伝送装置１００との間でのデータの送受信を可能にする。また、本実施形態における通信端末４０−１〜４０−Ｍは、一般的な電話機、ワークステーション、パソコン、データサーバなどであるとする。
【００２０】
回線設定部０系１６および回線設定部１系１７は、制御部１３の制御に基づいて、基本部１１０のＬＩＵ１５や拡張部１２０のＬＩＵ２３に接続される各通信端末４０、７０と、外部の伝送装置５０などとの間でデータ伝送するための回線設定などを行う。
【００２１】
拡張間ＩＦ０系１８および拡張間ＩＦ１系１９は、拡張部１２０の基本間ＩＦ０系２１および基本間ＩＦ１系２２とそれぞれ接続し、拡張部１２０に収容される各通信端末７０との間で、データおよびクロック盤１４によって選択された網同期用のクロック信号を送受信するインタフェースである。さらに、本実施形態の拡張間ＩＦ０系１８および拡張間ＩＦ１系１９は、後述するように、拡張部１２０を介して、外部のクロック供給装置５５ｂからのクロック信号を受信する。なお、本実施形態では、基本部１１０の拡張間ＩＦ０系１８および拡張間ＩＦ１系１９と、拡張部１２０の基本間ＩＦ０系２１および基本間ＩＦ１系２２とで接続部１３０を形成する。
【００２２】
一方、拡張部１２０は、クロックＬＩＵ２０、基本間ＩＦ０系２１、基本間ＩＦ１系２２、ＬＩＵ２３−１〜２３−Ｎから構成される（Ｎは自然数）。
【００２３】
クロックＬＩＵ２０は、クロックＬＩＵ１２と同様の動作をし、外部クロック受信部として、クロック供給装置５５ｂからの網同期用のクロック信号を受信する。クロックＬＩＵ２０で受信されたクロック信号は、接続部１３０を介して、基本部１１０のクロック盤１４へ転送される。なお、クロック信号の転送については、下記にて詳細に説明する。
【００２４】
ＬＩＵ２３−１〜２３−Ｎは、ＬＩＵ１５−１〜１５−Ｍと同様の動作をし、各通信端末７０−１〜７０−Ｎと伝送装置１００との間でのデータの送受信を可能にする回線インタフェースである。なお、通信端末７０−１〜７０−Ｎは、通信端末４０−１〜４０−Ｍと同様に、一般的な電話機、ワークステーション、パソコン、データサーバなどであるとする。
【００２５】
次に、図２は、本実施形態の伝送装置１００における接続部１３０の構成を示すブロック図である。なお、図２は、接続部１３０を形成する現用系の拡張間ＩＦ０系１８および基本間ＩＦ０系２１の構成および接続配線を示すが、予備系の拡張間ＩＦ１系１９および基本間ＩＦ１系２２についても同様である。また、本実施形態において、送受信されるデータは、１０ｂｉｔのデータであるとする。
【００２６】
図２に示すように、拡張間ＩＦ０系１８は、基本部１１０の回線設定部０系１６と拡張部１２０の各通信端末７０との間でやり取りされる、主信号系のデータおよび網同期用のクロック信号を送受信する、シリアライザ８０ａおよびデシリアライザ８１ｂを備える。また、拡張間ＩＦ０系１８は、基本部１１０の制御部１３と拡張部１２０の各通信端末７０との間で、各通信端末７０を制御監視する制御系のデータおよび網同期用のクロック信号を送受信する、シリアライザ８０ｃおよびデシリアライザ８１ｄを備える。同様に、基本間ＩＦ０系２１は、主信号系および制御系のデータとクロック信号とを送受信するデシリアライザ８１ａ、８１ｃおよびシリアライザ８０ｂ、８０ｄを備える。
【００２７】
なお、シリアライザ８０ａ〜８０ｄは、主信号系データまたは制御系データとクロック信号とを重畳してシリアル信号に変換するマルチプレクサ（ＭＵＸ）などである。また、デシリアライザ８１ａ〜８１ｄは、送信されてきたシリアル信号を元の主信号系または制御系のデータとクロック信号とに復元するデマルチプレクサ（ＤＥＭＵＸ）などである。また、本実施形態のデシリアライザ８１ａ、８１ｂは、拡張間ＩＦ０系１８と基本間ＩＦ０系２１との間で伝送されるシリアル信号が同期しているか否かを判定する同期判定部として動作し、シリアライザ８０ａ、８０ｂは、拡張間ＩＦ０系１８と基本間ＩＦ０系２１との間で同期を確立させて設定する同期設定部として動作するものとする。
【００２８】
拡張間ＩＦ０系１８と基本間ＩＦ０系２１とを接続するケーブル９０は、上記シリアル信号をＬＶＤＳ信号として高速伝送するＬＶＤＳケーブルである。本実施形態のケーブル９０は、例えば、図２に示すように、４対の＋電極と−電極とからなるツイストペア、４本のＧＮＤ線、２本の信号線からなる１４芯のＬＶＤＳケーブルである。各ツイストペアおよびＧＮＤ線は、それぞれ対向配置されたシリアライザ８０とデシリアライザ８１とを接続する。一方、２つの信号線それぞれは、主信号系のシリアライザ８０ａ、８０ｂとデシリアライザ８１ａ、８１ｂとをフィードバック接続する。これにより、デシリアライザ８１ａ、８１ｂによる同期判定処理、およびシリアライザ８０ａ、８０ｂによる同期確立処理を効果的に行うことができる。
【００２９】
すなわち、デシリアライザ８１ａ、８１ｂは、拡張間ＩＦ０系１８と基本間ＩＦ０系２１との間で同期しているか否かの判定結果を、＊ＬＯＣＫ信号として出力する。例えば、デシリアライザ８１ａ、８１ｂは、同期している場合、ＬＯＷレベルの＊ＬＯＣＫ信号を出力し、同期していない場合、ＨＩＧＨレベルの＊ＬＯＣＫ信号を出力する。デシリアライザ８１ａ、８１ｂそれぞれは、その＊ＬＯＣＫ信号をシリアライザ８０ａ、８０ｂのそれぞれにＳＹＮＣ信号としてフィードバックする。シリアライザ８０ａまたは８０ｂのいずれかが、ＨＩＧＨレベルのＳＹＮＣ信号を受信した場合、シリアライザ８０ａおよび８０ｂは、主信号系のシリアル信号の伝送を停止する。同時に、シリアライザ８０ａおよび８０ｂは、制御系のシリアライザ８０ｃおよび８０ｄに対して、制御系のシリアル信号の伝送停止信号を出力する。シリアライザ８０ｃおよび８０ｄは、制御系のシリアル信号の伝送を停止する。
【００３０】
そして、シリアライザ８０ａ、８０ｂは、主信号系のシリアル信号の伝送を停止した場合、不図示の内蔵メモリに記憶された所定のパターンを有したシリアル信号を、対向するデシリアライザ８１ａ、８１ｂへ出力する。シリアライザ８０ａ、８１ｂは、所定のパターンのシリアル信号に基づいて、拡張間ＩＦ０系１８と基本間ＩＦ０系２１との間の同期を確立させる処理を実行する。なお、所定のパターンのシリアル信号とは、ＬＯＷとＨＩＧＨとのレベルが一定の時間間隔で繰り返される信号などである。
【００３１】
さらに、本実施形態の接続部１３０は、拡張部１２０で受信したクロック供給装置５５ｂからのクロック信号を基本部１１０のクロック盤１４へ転送するために、前段保護部８２ａ、８２ｂ、後段保護部８３ａ、８３ｂ、クロック信号転送部８４、クロック信号抽出部８５を備える。すなわち、同期が確立した定常状態では、＊ＬＯＣＫ信号は、ＬＯＷレベルに維持されることから、本実施形態では、定常状態の間、１つの信号線を、クロック供給装置５５ｂからのクロック信号を基本部１１０のクロック盤１４へ転送する転送線として用いる。これにより、網同期用のクロックパスを拡張部１２０から基本部１１０へ転送するための余剰信号線がない場合であっても、伝送装置１００の装置構成や性能を変えることなく、外部のクロック供給装置５５ｂからのクロック信号を受信することができる。
【００３２】
前段保護部８２ａ、８２ｂは、信号線を伝送する信号に応じた信号を、後段保護部８３ａ、８３ｂ、クロック信号転送部８４、クロック信号抽出部８５に対し出力する。具体的には、入力した信号が、＊ＬＯＣＫ信号のみの場合、＊ＬＯＣＫ信号の状態に応じたＬＯＷまたはＨＩＧＨレベルの信号を出力する。一方、＊ＬＯＣＫ信号に重畳してクロック供給装置５５ｂからのクロック信号が信号線に転送されている場合、前段保護部８２ａ、８２ｂは、信号レベルが速く変動するクロック信号の影響が、後段保護部８３ａ、８３ｂ、クロック信号転送部８４、クロック信号抽出部８５に及ばないようにするために、クロック信号が転送される前の出力レベルを維持し出力する（前置維持）。なお、本実施形態の前段保護部８２ａ、８２ｂは、例えば、シフトレジスタ回路などを用いることができる。
【００３３】
後段保護部８３ａ、８３ｂは、前段保護部８２ａまたは８２ｂからのＬＯＷレベルの出力信号の状態に基づいて、拡張間ＩＦ０系１８と基本間ＩＦ０系２１との間の同期が安定して確立されているか否かを判定する。すなわち、前段保護部８２ａ、８２ｂからの出力信号のＬＯＷレベルの状態が所定の時間の間（例えば、３秒間）変化しなかった場合、後段保護部８３ａ、８３ｂは、拡張間ＩＦ０系１８と基本間ＩＦ０系２１との間で同期が安定して確立していると判定し、ＬＯＷレベルの信号を出力する。クロック信号転送部８４は、前段保護部８２ａと後段保護部８３ａとのＬＯＷレベルの信号に基づいて、信号線にクロック供給装置５５ｂからのクロック信号を出力し、拡張間ＩＦ０系１８へ転送する。同時に、クロック信号抽出部８５は、前段保護部８２ｂと後段保護部８３ｂとのＬＯＷレベルの信号に基づいて、信号線を伝送するクロック供給装置５５ｂからのクロック信号を抽出し、クロック盤１４へ出力する。
【００３４】
一方、後段保護部８３ａ、８３ｂは、前段保護部８２ａ、８２ｂのＬＯＷレベルの出力信号が、所定の時間内でＨＩＧＨレベルに変化した場合、拡張間ＩＦ０系１８と基本間ＩＦ０系２１との間の同期は安定していないと判定する。後段保護部８３ａ、８３ｂは、ＨＩＧＨレベルの信号を出力し、クロック信号転送部８４に対し、クロック供給装置５５ｂからのクロック信号の転送を停止させる。すなわち、後段保護部８３ａが、前段保護部８２ａとともに、転送停止部として動作することにより、クロック供給装置５５ｂからのクロック信号を、安全且つ確実に転送することができ、クロック盤１４を保護することができる。
【００３５】
なお、本実施形態の後段保護部８３ａ、８３ｂは、例えば、カウンタ回路とタイマー回路とから構成されたものを用いることができる。
【００３６】
次に、本実施形態の伝送装置１００による、拡張部１２０で受信したクロック供給装置５５ｂからのクロック信号の基本部１１０への転送処理について、図３のフローチャートを参照しつつ説明する。なお、以下の説明において、伝送装置１００の初期状態として、拡張間ＩＦ０系１８と基本間ＩＦ０系２１との間の同期は確立され、＊ＬＯＣＫ信号はＬＯＷレベルであるとする。また、前段保護部８２ａ、８２ｂおよび後段保護部８３ａ、８３ｂの出力信号もＬＯＷレベルであるとする。そして、信号線には、クロック供給装置５５ｂからのクロック信号が転送されているとする。
【００３７】
ステップＳ１０：拡張間ＩＦ０系１８のデシリアライザ８１ｂ、および基本間ＩＦ０系２１のデシリアライザ８１ａは、対向するシリアライザ８０ａまたは８０ｂとの同期が確立しているか否かを判定する。デシリアライザ８１ａおよび８１ｂは、同期していると判定した場合（ＹＥＳ側）、同期の監視を継続する。一方、デシリアライザ８１ａまたは８１ｂのいずれかが同期していないと判定した場合、デシリアライザ８１ａおよび８１ｂは、＊ＬＯＣＫ信号をＨＩＧＨレベルに変更し、ステップＳ１１（ＮＯ側）へ移行する。
【００３８】
ステップＳ１１：シリアライザ８０ａおよび８０ｂは、ＨＩＧＨレベルの＊ＬＯＣＫ信号をＳＹＮＣ信号として受信すると、主信号系のデータおよびクロック信号の送受信を停止する。同時に、シリアライザ８０ａおよび８０ｂは、シリアライザ８０ｃおよび８０ｄに対して、制御系のデータおよびクロック信号の伝送を停止させる伝送停止信号を出力する。シリアライザ８０ｃおよび８０ｄは、制御系のデータおよびクロック信号の伝送を停止する。
【００３９】
ステップＳ１２：前段保護部８２ａおよび８２ｂは、＊ＬＯＣＫ信号がＨＩＧＨレベルになったことから、ＨＩＧＨレベルの信号を出力する。クロック信号転送部８４は、クロック供給装置５５ｂからのクロック信号の転送を停止する。同時に、クロック信号抽出部８５は、信号線からクロック供給装置５５ｂからのクロック信号の抽出を停止する。その後、後段保護部８３ａおよび８３ｂは、前段保護部８２ａおよび８２ｂの出力信号のＨＩＧＨレベル状態が所定の時間変化しないことから、非同期の状態が継続していると判定し、ＨＩＧＨレベルの信号を出力する。
【００４０】
ステップＳ１３：シリアライザ８０ａおよび８０ｂは、所定のパターンを有したシリアル信を対向するデシリアライザ８１ａおよび８１ｂへ出力（アサート）し、拡張間ＩＦ０系１８と基本間ＩＦ０系２１との間の同期を確立させる処理を実行する。
【００４１】
ステップＳ１４：デシリアライザ８１ａおよび８１ｂは、拡張間ＩＦ０系１８と基本間ＩＦ０系２１との間の同期が確立されたか否かを判定する。デシリアライザ８１ａおよび８１ｂは、同期が確立されたと判定した場合、＊ＬＯＣＫ信号をＬＯＷレベルに変更し、ステップＳ１５（ＹＥＳ側）へ移行する。一方、デシリアライザ８１ａまたは８１ｂは、同期が確立していないと判定した場合（ＮＯ側）、ステップＳ１３へ移行し同期が確立するまで処理を継続する。
【００４２】
ステップＳ１５：シリアライザ８０ａおよび８０ｂは、ＬＯＷレベルのＳＹＮＣ信号を受信するとネゲートし、主信号系および制御系のデータと網同期用のクロック信号との送受信を再開する。
【００４３】
ステップＳ１６：前段保護部８２ａおよび８２ｂは、＊ＬＯＣＫ信号のＬＯＷレベルに基づいて、ＬＯＷレベルの信号を出力する。
【００４４】
ステップＳ１７：後段保護部８３ａおよび８３ｂは、前段保護部８２ａ、８２ｂからのＬＯＷレベルの出力信号の状態に基づいて、拡張間ＩＦ０系１８と基本間ＩＦ０系２１との間の同期が安定して確立されているか否かを判定する。後段保護部８３ａおよび８３ｂは、拡張間ＩＦ０系１８と基本間ＩＦ０系２１との同期が安定して確立されていると判定した場合、ＬＯＷレベルの信号を出力し、ステップＳ１８（ＹＥＳ側）へ移行する。一方、後段保護部８３ａおよび８３ｂは、拡張間ＩＦ０系１８と基本間ＩＦ０系２１との同期が安定して確立されていないと判定した場合、ステップＳ１６（ＮＯ側）へ移行する。後段保護部８３ａ、８３ｂは、拡張間ＩＦ０系１８と基本間ＩＦ０系２１との同期の確立が安定するまで、ステップＳ１６およびステップＳ１７の処理を行う。
【００４５】
ステップＳ１８：クロック信号転送部８４は、前段保護部８２ａおよび後段保護部８３ａのＬＯＷレベルの出力信号に基づいて、信号線に、クロック供給装置５５ｂからのクロック信号を出力し転送を再開する。同時に、クロック信号抽出部８５は、前段保護部８２ｂおよび後段保護部８３ｂのＬＯＷレベルの出力信号に基づいて、信号線に転送されたクロック供給装置５５ｂからのクロック信号の抽出を再開し、クロック盤１４へ出力する。本実施形態の伝送装置１００は、一連の動作処理を終了する。
【００４６】
このように、本実施形態では、伝送装置１００全体の構成を変えることなく、基本部１１０と拡張部１２０とを接続する接続部１３０の既存のケーブル９０の信号線を利用することで、新たに外部のクロック供給装置５５ｂから網同期用のクロック信号を容易に取得することができる。
【００４７】
また、従来の伝送装置のアーキテクチャーでは、基本部１１０の拡張用のインタフェースでしか網同期用のクロックパスを供給できなかったが、拡張部１２０からも供給可能となり、柔軟なシステムを構築することができる。
《実施形態の補足事項》
上記実施形態では、、主信号系のシリアライザ８０ａとデシリアライザ８１ａとをフィードバック接続するケーブル９０の信号線に、クロック供給装置５５ｂからのクロック信号を転送させたが、本発明はこれに限定されない。例えば、ケーブル９０の２つの信号線を、制御系のシリアライザ８０ｃ、８０ｄと、デシリアライザ８１ｃ、８１ｄとをそれぞれフィードバック接続させ、シリアライザ８０ｃとデシリアライザ８１ｃとをフィードバック接続する信号線に、クロック供給装置５５ｂからのクロック信号を転送させてもよい。なお、デシリアライザ８１ｃ、８１ｄを同期判定部として動作させ、シリアライザ８０ｃ、８０ｄを同期設定部として動作させるようにすることが好ましい。
【００４８】
上記実施形態では、信号線にクロック供給装置５５ｂからのクロック信号を転送させるために、前段保護部８２ａ、８２ｂおよび後段保護部８３ａ、８３ｂを配置したが、本発明はこれに限定されず、前段保護部８２ａ、８２ｂを配置するだけでもよい。
【００４９】
上記実施形態では、拡張部１２０が受信するクロック信号は、外部のクロック供給装置５５ｂからとしたが、本発明はこれに限定されない。例えば、拡張部１２０は、１．５Ｍ伝送路や６Ｍ伝送路などを受信するＬＩＵや、対向配置された伝送装置からの光伝送路（１５０Ｍ／６００Ｍ）と接続する伝送路ＩＦ０系および伝送路ＩＦ１系を備え、それらのクロック信号を基本部１１０のクロック盤１４へ転送してもよい。
【００５０】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００５１】
１０  伝送路ＩＦ０系、１１  伝送路ＩＦ１系、１２、２０  クロックＬＩＵ、１３  制御部、１４  クロック盤、１５−１〜１５−Ｍ、２３−１〜２３−Ｎ  ＬＩＵ、１６  回線設定部０系、１７  回線設定部１系、１８  拡張間ＩＦ０系、１９  拡張間ＩＦ１系、２１  基本間ＩＦ０系、２２  基本間ＩＦ１系、４０−１〜４０−Ｍ、７０−１〜７０−Ｎ  通信端末、５５ａ、５５ｂ  クロック供給装置、８０ａ〜８０ｄ  シリアライザ、８１ａ〜８１ｄ  デシリアライザ、８２ａ、８２ｂ  前段保護部、８３ａ、８３ｂ  後段保護部、８４  クロック信号転送部、８５  クロック信号抽出部、９０  ケーブル、５０、１００  伝送装置、１１０  基本部、１２０  拡張部、１３０  接続部
【図１】
0005555564.tif 000002
【図２】
0005555564.tif 000003
【図３】
0005555564.tif 000004